(57)【要約】【課題】速やかに搬送路を冷却し、利用者に搬送路内に滞留している用紙を比較的短時間で取り出させる。【解決手段】搬送路の一部を囲うように配置された炉であって、炉内を加温する第１の乾燥炉８１と、搬送路の一部を囲うように配置された第２の乾燥炉８２と、第１の乾燥炉８１の炉内を冷却する冷却ファン８７と、第１の乾燥炉８１及び第２の乾燥炉８２それぞれの炉内温度を検出する温度センサ９１〜９３と、第１の乾燥炉８１及び第２の乾燥炉８２を施錠状態又は解錠状態のいずれかに設定する第１錠部９５及び第２錠部９７と、紙詰まりが検出された場合、冷却ファン８７に冷却させる冷却制御部８０ａと、温度センサ９１〜９３により検出された炉内温度が所定の閾温度以下となった場合に、第１錠部及び第２錠部のうち、炉内温度が所定の閾温度以下となった第１の乾燥炉又は第２の乾燥炉に対応する錠部を解錠させる錠制御部８０ｂとを備える。【選択図】図４
2011051118.tif 000002
【特許請求の範囲】
【請求項１】
インクジェットヘッドによりインクを吐出して印刷を行うインクジェット印刷装置であって、
印刷された印刷媒体が搬送される搬送路の少なくとも一部を囲うように配置された炉であって、前記炉内を加温する第１の乾燥炉と、
前記第１の乾燥炉に対して、搬送方向に沿った前後方向のうち少なくとも一方に、前記搬送路の少なくとも一部を囲うように配置された炉であって、前記第１の乾燥炉からの温度雰囲気が伝導される第２の乾燥炉と、
前記第１の乾燥炉の炉内を冷却する冷却手段と、
前記第１の乾燥炉及び前記第２の乾燥炉それぞれの炉内温度を検出する温度検出手段と、
前記第１の乾燥炉及び前記第２の乾燥炉は、各々囲っている搬送路とともに前記搬送路上の印刷媒体が引き出せる方向に出し入れ可能な構成であり、出し入れ不可能にする施錠状態又は出し入れ可能にする解錠状態のいずれかに設定する第１錠部及び第２錠部と、
前記搬送路上における前記印刷媒体の紙詰まりを検出する紙詰まり検出手段と、
前記紙詰まり検出手段により紙詰まりが検出された場合、前記冷却手段に前記第１の乾燥炉の炉内を冷却させる冷却制御手段と、
前記冷却手段により冷却が開始された後、前記温度検出部により検出された炉内温度が所定の閾温度以下となった場合に、前記第１錠部及び第２錠部のうち、前記炉内温度が所定の閾温度以下となった前記第１の乾燥炉又は第２の乾燥炉に対応する錠部を解錠させる錠制御部と、
を備えたことを特徴とするインクジェット印刷装置。
【請求項２】
前記第２の乾燥炉の炉内を冷却する第２の冷却手段を、更に備え、
前記冷却制御手段は、
前記紙詰まり検出手段により紙詰まりが検出された場合、前記冷却手段に前記第１の乾燥炉の炉内を冷却させると共に、前記第２の冷却手段に前記第２の乾燥炉の炉内を冷却させる
ことを特徴とする請求項１記載のインクジェット印刷装置。
【請求項３】
前記紙詰まり検出手段により紙詰まりが検出されると、炉内の温度が低い順序に従って、前記第１錠部及び第２錠部に対応する錠部を解錠していくことを示す情報を表示部に表示させる表示制御手段を、
更に備えたことを特徴とする請求項１又は２記載のインクジェット印刷装置。
【発明の詳細な説明】
【技術分野】
【０００１】
本発明は、インクジェットヘッドによりインクを吐出して印刷媒体に印刷を行うインクジェット印刷装置に関する。
【背景技術】
【０００２】
近年、インクジェットヘッドによりインクを吐出して印刷用紙に印刷を行うインクジェット印刷装置では、水性インクが用いられることが多くなっている。なお、ここでいう水性インクとは、水分を含むインクのことであり、Ｏ／Ｗ（Oil in Water）型及びＷ／Ｏ（Water in Oil）型のエマルションインクをも含む概念である。
【０００３】
ところで、このような水性インクを使用したインクジェット印刷装置では、水性インク中の水含有率が高くなると、用紙に含まれるセルロースの水素結合の間に水が入り、用紙の繊維間の距離が長くなるので、用紙の表面が波打つように変形する。
【０００４】
このように用紙が変形すると、用紙を搬送する際、変形した用紙がインクジェットヘッドに接触する場合がある。変形した用紙がインクジェットヘッドに接触すると、紙ジャムを発生させたり、印刷用紙を汚したり、さらにはノズルプレートを損傷させる場合があった。
【０００５】
そこで、用紙の変形を抑制するために、搬送路を搬送されている用紙を加温して乾燥させることが考えられる。
【０００６】
このように印刷された用紙を加温する場合、用紙の変形を抑制するために用紙の紙詰まりが大部分抑えられるが、用紙の紙詰まりが発生して用紙の搬送が停止する場合も少量ながら存在し、この場合、印刷再開の準備として搬送路内で滞留している用紙を取り出すことができるよう搬送路を冷却する必要があった。
【０００７】
特許文献１には、定着ヒータの収容された筐体のドアーの開閉を検知するドアースイッチと、サーモスタットとを備え、ドアースイッチが開放された場合、又はサーモスタットの内部スイッチが開放された場合に、電源供給回路の電力供給を停止する電力制御装置が提案されている。ドアースイッチが開放された場合、又はサーモスタットの内部スイッチが開放された場合に、電源供給回路の電力供給を停止して搬送路を冷却して用紙を取り除いていた。
【先行技術文献】
【特許文献】
【０００８】
【特許文献１】特開２００８−７０６３９号公報
【発明の概要】
【発明が解決しようとする課題】
【０００９】
しかしながら、特許文献１に記載の電力制御装置では、ドアースイッチが開放された場合、又はサーモスタットの内部スイッチが開放された場合に、電源供給回路の電力供給を停止するので、自然冷却により定着ヒータの温度が低下するまで相当の時間を要し、その時間を経過して初めて搬送路内に滞留している用紙を取り出すことができたので、用紙を取り出すのに時間がかかってしまった。
【００１０】
そのため、特許文献１に記載の技術をインクジェット印刷装置に適用したとしても、搬送路の温度が低下するまで相当の時間を要し、利用者に搬送路内に滞留している用紙を比較的短時間で取り出させることができなかった。
【００１１】
本発明は、上記課題に鑑みてなされたものであり、速やかに搬送路を冷却し、利用者に搬送路内に滞留している用紙を比較的短時間で取り出させるインクジェット印刷装置を提供することを目的とする。
【課題を解決するための手段】
【００１２】
上記目的を達成するため、本発明に係るインクジェット印刷装置の第１の特徴は、インクジェットヘッドによりインクを吐出して印刷を行うインクジェット印刷装置であって、印刷された印刷媒体が搬送される搬送路の少なくとも一部を囲うように配置された炉であって、前記炉内を加温する第１の乾燥炉と、前記第１の乾燥炉に対して、搬送方向に沿った前後方向のうち少なくとも一方に、前記搬送路の少なくとも一部を囲うように配置された炉であって、前記第１の乾燥炉からの温度雰囲気が伝導される第２の乾燥炉と、前記第１の乾燥炉の炉内を冷却する冷却手段と、前記第１の乾燥炉及び前記第２の乾燥炉それぞれの炉内温度を検出する温度検出手段と、前記第１の乾燥炉及び前記第２の乾燥炉は、各々囲っている搬送路とともに前記搬送路上の印刷媒体が引き出せる方向に出し入れ可能な構成であり、出し入れ不可能にする施錠状態又は出し入れ可能にする解錠状態のいずれかに設定する第１錠部及び第２錠部と、前記搬送路上における前記印刷媒体の紙詰まりを検出する紙詰まり検出手段と、前記紙詰まり検出手段により紙詰まりが検出された場合、前記冷却手段に前記第１の乾燥炉の炉内を冷却させる冷却制御手段と、前記冷却手段により冷却が開始された後、前記温度検出部により検出された炉内温度が所定の閾温度以下となった場合に、前記第１錠部及び第２錠部のうち、前記炉内温度が所定の閾温度以下となった前記第１の乾燥炉又は第２の乾燥炉に対応する錠部を解錠させる錠制御部とを備えたことにある。
【００１３】
上記目的を達成するため、本発明に係るインクジェット印刷装置の第２の特徴は、前記第２の乾燥炉の炉内を冷却する第２の冷却手段を、更に備え、前記冷却制御手段は、前記紙詰まり検出手段により紙詰まりが検出された場合、前記冷却手段に前記第１の乾燥炉の炉内を冷却させると共に、前記第２の冷却手段に前記第２の乾燥炉の炉内を冷却させることにある。
【００１４】
上記目的を達成するため、本発明に係るインクジェット印刷装置の第３の特徴は、前記紙詰まり検出手段により紙詰まりが検出されると、炉内の温度が低い順序に従って、第１錠部及び第２錠部に対応する錠部を解錠していくことを示す情報を表示部に表示させる表示制御手段を更に備えたことにある。
【００１５】
上記目的を達成するため、本発明に係るインクジェット印刷装置の第４の特徴は、インクジェットヘッドによりインクを吐出して印刷を行うインクジェット印刷装置であって、印刷された印刷媒体が搬送される搬送路の少なくとも一部を囲うように配置された炉であって、前記炉内を加温する乾燥炉と、前記乾燥炉の炉内を冷却する冷却手段と、前記乾燥炉の炉内温度を検出する温度検出手段と、前記乾燥炉は、囲っている搬送路とともに前記搬送路上の印刷媒体が引き出せる方向に出し入れ可能な構成であり、出し入れ不可能にする施錠状態又は出し入れ可能にする解錠状態のいずれかに設定する錠部と、前記搬送路上における前記印刷媒体の紙詰まりを検出する紙詰まり検出手段と、前記紙詰まり検出手段により紙詰まりが検出された場合、前記冷却手段に前記乾燥炉の炉内を冷却させる冷却制御手段と、前記冷却手段により冷却が開始された後、前記温度検出部により検出された炉内温度が所定の閾温度以下となった場合に、前記錠部を解錠させる錠制御部とを備えたことにある。
【発明の効果】
【００１６】
本発明に係るインクジェット印刷装置によれば、速やかに搬送路を冷却し、利用者に搬送路内に滞留している用紙を比較的短時間で取り出させることができる。
【図面の簡単な説明】
【００１７】
【図１】本発明の実施例１であるインクジェット印刷装置の構成を示す構成図である。
【図２】本発明の実施例１であるインクジェット印刷装置が備える紙詰まり検出センサ周辺の構成を示した図である。
【図３】本発明の実施例１であるインクジェット印刷装置の平面図である。
【図４】本発明の実施例１であるインクジェット印刷装置の機能構成を示す機能構成図である。
【図５】本発明の実施例１であるインクジェット印刷装置の処理フローを示したフローチャートである。
【図６】本発明の実施例１であるインクジェット印刷装置が備える表示部に表示された滞留印刷用紙除去手順の一例を示した図である。
【図７】本発明の実施例２であるインクジェット印刷装置の処理フローを示したフローチャートである。
【発明を実施するための形態】
【００１８】
以下、本発明の実施の形態を、図面を参照しながら詳細に説明する。
【実施例１】
【００１９】
＜インクジェット印刷装置の構成＞
本発明の実施例１であるインクジェット印刷装置の構成について詳細に説明する。
【００２０】
図１は、本発明の実施例１であるインクジェット印刷装置の構成を示す構成図である。
【００２１】
図１に示すようにインクジェット印刷装置１は、サイド給紙部１０と、内部給紙部２０と、印刷部３０と、排紙部４０と、反転部５０とを備えている。
【００２２】
サイド給紙部１０は、印刷用紙Ｗが積層される給紙台１１と、この給紙台１１から最上位置の印刷用紙Ｗのみを給紙搬送路ＦＲ上へ搬送させる１次給紙部１２と、この１次給紙部１２によって搬送された印刷用紙Ｗを循環搬送路ＣＲ上へ搬送する２次給紙部１４とを備えている。
【００２３】
内部給紙部２０は、印刷用紙Ｗが積層される給紙台２１ａと、この給紙台２１ａから最上位置の印刷用紙Ｗのみを給紙搬送路ＦＲ上へ搬送させる１次給紙部２２ａと、印刷用紙Ｗが積層される給紙台２１ｂと、この給紙台２１ｂから最上位置の印刷用紙Ｗのみを給紙搬送路ＦＲ上へ搬送させる１次給紙部２２ｂと、印刷用紙Ｗが積層される給紙台２１ｃと、この給紙台２１ｃから最上位置の印刷用紙Ｗのみを給紙搬送路ＦＲ上へ搬送させる１次給紙部２２ｃと、印刷用紙Ｗが積層される給紙台２１ｄと、この給紙台２１ｄから最上位置の印刷用紙Ｗのみを給紙搬送路ＦＲ上へ搬送させる１次給紙部２２ｄとを備えている。
【００２４】
このように、２次給紙部１４には、サイド給紙部１０及び内部給紙部２０から印刷用紙Ｗが搬送され、さらに、後述する反転部５０からも印刷用紙Ｗが搬送される。
【００２５】
そのため、搬送方向における２次給紙部１４の手前には、給紙された印刷用紙Ｗの搬送経路と、裏面印刷の用紙が循環して搬送されてくる経路とが合流する合流地点が存在する。この合流地点を基準に、給紙機構側の経路を給紙搬送路ＦＲと称し、それ以外の経路を循環搬送路ＣＲと称している。
【００２６】
印刷部３０は、複数の印字ヘッドが組み込まれたヘッドユニット３１と、ヘッドユニット３１の対向面に設けられた環状の搬送ベルト３２とを備えており、２次給紙部１４により給紙された印刷用紙Ｗは、環状の搬送ベルト３２内に設置された図示しない吸引手段によって搬送ベルト３２上に吸着され、印刷条件により定められる速度で搬送されながら、ヘッドユニット３１から吐出されたインクによりライン単位で印刷用紙Ｗに印刷される。
【００２７】
また、印刷部３０は、紙詰まり検出センサ３４を備えている。
【００２８】
図２は、紙詰まり検出センサ３４周辺の構成を示した図である。
【００２９】
図２に示すように、紙詰まり検出センサ３４は、循環搬送路ＣＲ上を搬送される印刷用紙Ｗの中央部を搬送ベルト３２に押さえつけるＳＳローラー３３とヘッドユニット３１との間に、搬送ベルト３２上面から所定距離Ｂだけ離間されて配置され、離間距離Ｂを超える印刷用紙Ｗの変形部分と接触することによって変形を検知する。
【００３０】
具体的には、この紙詰まり検出センサ３４は、搬送方向に揺動可能に軸支された、断面クランク上の揺動部３４ａと、紙詰まり検出センサ３４が揺動するのを検出する揺動センサ部３４ｂとから構成される。
【００３１】
揺動部３４ａの下端は、上述したように搬送ベルト３２上面から所定距離Ｂだけ離間されているとともに、ＳＳローラー３３から搬送方向に距離Ａだけ離間されている。そして、変形した印刷用紙ＷがＳＳローラー３３を通過した後、浮き上がってきた場合、用紙の先端が揺動部３４ａに接触して、Ｒ方向に押し出されて揺動すると、揺動部３４ａの他端部が揺動センサ部３４ｂから外れる。これにより、印刷用紙Ｗの変形が所定量を超えていることを検知することができ、紙詰まりが発生したと判定される。
【００３２】
図１に戻り、印刷部３０により印刷された印刷用紙Ｗは、循環搬送路ＣＲ上に配置された搬送ローラ等によって筐体内を循環搬送路ＣＲ上を搬送される。循環搬送路ＣＲ上には、循環搬送路ＣＲ上を搬送された印刷用紙Ｗを排紙部４０へ誘導するか、又は循環搬送路ＣＲ上を再循環させるかを切り替える切り替え機構４３が備えられている。
【００３３】
切り替え機構４３は、印刷用紙Ｗを、後述する排紙部４０又は反転部５０のいずれか１方へ誘導するために、切り替える。
【００３４】
排紙部４０は、インクジェット印刷装置１の筐体から突出したトレイ形状をした排紙台４１と、排紙台４１に印刷用紙Ｗを誘導する一対の排紙ローラ４２とを有している。そして、切り替え機構４３により排紙部４０に誘導された印刷用紙Ｗは、排紙ローラ４２により排紙台４１に搬送され、排紙台４１に印刷面を下にして積載される。
【００３５】
反転部５０は、印刷用紙Ｗを反転させる反転台５１と、循環搬送路ＣＲから反転台５１へ印刷用紙Ｗを搬送し、又は反転台５１から循環搬送路ＣＲ上へ印刷用紙Ｗを搬送する反転ローラ５２と、印刷用紙検出センサ５４，５５とを備えている。
【００３６】
切り替え機構４３により反転部５０に誘導された印刷用紙Ｗは、反転ローラ５２により循環搬送路ＣＲから反転台５１に搬送され、所定時間経過後、反転台５１から循環搬送路ＣＲへ搬送されることにより、循環搬送路ＣＲに対して表裏が反転する。そして、表裏が反転された印刷用紙Ｗは、循環搬送路ＣＲ上に設けられた搬送ローラ５３等の複数のローラにより循環搬送路ＣＲ上を搬送される。
【００３７】
印刷用紙検出センサ５４，５５は、光透過型又は反射型のセンサであり、循環搬送路ＣＲから反転部５０へ搬送される印刷用紙Ｗの先端及び後端を検出する。これにより、印刷用紙検出センサ５４により印刷用紙Ｗが検出された後、所定時間経過しても印刷用紙検出センサ５５により印刷用紙Ｗが検出されなかった場合、紙詰まりが発生したと判定される。
【００３８】
また、循環搬送路ＣＲを搬送されている印刷用紙Ｗから水分を除去するため、循環搬送路ＣＲを囲うように、第１乾燥炉８１、第２乾燥炉８２、及び第３乾燥炉８３が備えられている。第１〜第３乾燥炉８１〜８３は、それぞれ１つの炉として区切られており、第１〜第３乾燥炉８１〜８３毎に、それぞれが囲む循環搬送路ＣＲと共に、図１に示す紙面手前側に引き出せる構造となっている。
【００３９】
図３は、本発明の実施例１であるインクジェット印刷装置１の上面図である。
【００４０】
図３に示すように、利用者によって、インクジェット印刷装置１の筐体の前面扉６１，６２が、それぞれＤ方向及びＥ方向へ開放されると、第２乾燥炉８２は、第２乾燥炉８２が囲む循環搬送路ＣＲと共に、Ｆ方向に引き出すことが可能な構造となっている。また、第１乾燥炉８１及び第３乾燥炉８３も同様に、それぞれ第１乾燥炉８１、第３乾燥炉８３が囲む循環搬送路ＣＲと共に、Ｆ方向に引き出すことが可能な構造となっている。
【００４１】
また、図示しないが、第１〜第３乾燥炉８１〜８３は、それぞれＦ方向に引き出せないように施錠する施錠状態、又はそれぞれＦ方向に引き出せるように解錠する解錠状態のいずれかに設定する錠を備えている。この錠は、モータ駆動により施錠又は解錠されるモータ駆動式のものでもよいし、ソレノイド（電磁石）が通電されて作動することにより施錠又は解錠されるソレノイド駆動式のものでもよい。
【００４２】
また、図１に示すように、第１乾燥炉８１内には、ヒータ８５が備えられ、このヒータ８５が発熱することにより第１乾燥炉８１内が加温され、循環搬送路ＣＲ上で第１乾燥炉８１内に搬送された印刷用紙Ｗを乾燥させる。
【００４３】
また、第１乾燥炉８１には、第１乾燥炉８１内雰囲気を循環させる循環ファン８６と、インクジェット印刷装置１の外気を第１乾燥炉８１内に導入することにより第１乾燥炉８１内を冷却する冷却ファン８７とが装着されている。
【００４４】
第２乾燥炉８２及び第３乾燥炉８３は、循環搬送路ＣＲ上における第１乾燥炉８１の前後に、第１乾燥炉８１に隣接されて備えられており、加温された第１乾燥炉８１の熱が伝熱されることにより炉内が加温される。
【００４５】
また、第１〜第３乾燥炉８１〜８３には、それぞれ温度センサ９１，９２，９３が備えられており、第１〜第３乾燥炉８１〜８３それぞれの炉内温度を測定する。
【００４６】
＜印刷装置の機能構成＞
図４は、本発明の実施例１であるインクジェット印刷装置１の機能構成を示す機能構成図である。
【００４７】
図４に示すようにインクジェット印刷装置１は、ＲＡＭ７１と、ＲＯＭ７２と、表示部７３と、制御部８０と、温度センサ９１〜９３と、紙詰まりセンサ３４と、印刷用紙検出センサ５４，５５と、錠９５〜９７と、前面扉錠９８と、冷却ファン８７とを備えている。
【００４８】
これらの構成のうち、温度センサ９１〜９３と、紙詰まりセンサ３４と、印刷用紙検出センサ５４，５５と、冷却ファン８７とは上述したので、説明を省略する。
【００４９】
ＲＡＭ７１は、揮発性半導体等で構成され、制御部８０が各種処理を実行する上で必要なデータ等を記憶する。
【００５０】
ＲＯＭ７２は、不揮発性半導体等で構成され、制御部８０が実行する各種制御プログラム等を記憶している。
【００５１】
表示部７３は、有機ＥＬ（electroluminescence）ディスプレイや、液晶ディスプレイ等の画像出力部を備え、後述する制御部８０の表示制御部８０ｃからの指示に従い、印刷処理を実行する上で必要な情報、例えば、給紙搬送路ＦＲ及び循環搬送路ＣＲに滞留した印刷用紙Ｗを除去するための滞留印刷用紙除去手順等を表示させる。
【００５２】
錠９５は、利用者によって手前に第１乾燥炉８１が引き出されないように施錠し、又は利用者によって手前に第１乾燥炉８１が引き出されるように解錠する。同様に、錠９６，９７は、利用者によって手前に第２〜第３乾燥炉８２〜８３それぞれが引き出されないように施錠し、又は利用者によって手前に第２〜第３乾燥炉８２〜８３それぞれが引き出されるように解錠する。
【００５３】
前面扉錠９８は、インクジェット印刷装置１が印刷処理の実行中、インクジェット印刷装置１の筐体の前面扉６１，６２が開かないように施錠すると共に、インクジェット印刷装置１が印刷処理を停止した際、インクジェット印刷装置１の筐体の前面扉６１，６２が開くように解錠する。
【００５４】
制御部８０は、インクジェット印刷装置１の中枢的制御を行う。また、制御部８０は、その機能上、冷却制御部８０ａと、錠制御部８０ｂと、表示制御部８０ｃとを備える。
【００５５】
冷却制御部８０ａは、紙詰まりが検出されると、冷却ファン８７に第１乾燥炉８１の炉内を冷却させる。
【００５６】
錠制御部８０ｂは、冷却ファン８７により冷却が開始された後、温度センサ９１，９２，９３により検出されたそれぞれの炉内温度が所定の閾温度以下となった場合に、錠９５〜９７のうち、温度センサ９１，９２，９３により検出された炉内温度が所定の閾温度以下となった第１〜第３乾燥炉８１〜８３に対応する錠を解錠させる。
【００５７】
表示制御部８０ｃは、紙詰まりが検出されると、紙詰まりを除去するための滞留印刷用紙除去手順を表示部７３に表示させる。
【００５８】
＜インクジェット印刷装置１の作用＞
次に、本発明の実施例１であるインクジェット印刷装置１の作用について説明する。
【００５９】
図５は、本発明の実施例１であるインクジェット印刷装置１の処理フローを示したフローチャートである。
【００６０】
図５に示すように、制御部８０は、紙詰まりが発生したか否かを判定する（ステップＳ１０１）。具体的には、紙詰まり検出センサ３４が印刷用紙Ｗの変形を検知した場合、又は印刷用紙検出センサ５４により印刷用紙Ｗが検出された後、所定時間経過しても印刷用紙検出センサ５５により印刷用紙Ｗが検出されなかった場合、又は、循環搬送路内に設置されている図示しない複数の各センサが、設定された印刷スケジュールにより決められた時間内に用紙の存在を検出できなかった場合、制御部８０は、紙詰まりが発生したと判定する。
【００６１】
ステップＳ１０１において、紙詰まりが発生したと判定された場合（ＹＥＳの場合）、制御部８０は、給紙搬送路ＦＲ及び循環搬送路ＣＲの印刷用紙Ｗの搬送を停止する（ステップＳ１０３）。
【００６２】
次に、制御部８０の錠制御部８０ｂは、インクジェット印刷装置１の筐体の前面扉６１，６２が開くように前面扉錠９８を解錠する（ステップＳ１０５）。
【００６３】
そして、制御部８０は、表示部７３に、給紙搬送路ＦＲ及び循環搬送路ＣＲに滞留した印刷用紙Ｗを除去するための滞留印刷用紙除去手順を表示させる（ステップＳ１０７）。
【００６４】
図６は、表示部７３に表示された滞留印刷用紙除去手順の一例を示した図である。
【００６５】
図６に示すように、低温部から順に印刷用紙を取り除くように、滞留印刷用紙除去手順が表示させている。
【００６６】
具体的には、給紙搬送路ＦＲ及び循環搬送路ＣＲで最もヒータ８５からの距離が遠いので、最も低温であるベルトプラテン（搬送部３２）から先に滞留した印刷用紙Ｗを取り除き（手順１）、次に、前面扉が開放されることにより冷却される第２乾燥炉８２及び第３乾燥炉８３に滞留した印刷用紙Ｗを取り除き（手順２）、最後に、内部にヒータ８５を有し、最も高温である第１乾燥炉８１に滞留した印刷用紙Ｗを取り除く（手順３）ように、滞留印刷用紙除去手順を表示させる。
【００６７】
次に、制御部８０の冷却制御部８０ａは、冷却ファン８７を起動する（ステップＳ１０９）。このように、冷却ファン８７が起動することにより、第１乾燥炉８１の炉内が冷却され、さらに、前面扉６１，６２の開放による放熱により、第２乾燥炉８２及び第３乾燥炉８３が冷却される。
【００６８】
そして、制御部８０は、紙詰まり検出センサ３４等の各センサの検出結果に基づいて、搬送部３２に滞留した印刷用紙Ｗが全て除去されたか否かを判定する（ステップＳ１１１）。
【００６９】
ステップＳ１１１において、搬送部３２に滞留した印刷用紙Ｗが全て除去されたと判定された場合（ＹＥＳの場合）、制御部８０は、温度センサ９２により測定された第２乾燥炉８２の炉内温度が所定の閾温度以下であるか否かを判定する（ステップＳ１１３）。ここで、閾温度は、例えば３５（℃）〜４５（℃）の範囲内で予め適切な値として設定される。
【００７０】
ステップＳ１１３において、第２乾燥炉８２の炉内温度が所定の閾温度以下であると判定された場合（ＹＥＳの場合）、制御部８０の錠制御部８０ｂは、利用者が第２乾燥炉８２を手前に引き出すことができるように、第２乾燥炉８２の錠９６を解錠する（ステップＳ１１７）。
【００７１】
次に、制御部８０は、温度センサ９３により測定された第３乾燥炉８３の炉内温度が所定の閾温度以下であるか否かを判定する（ステップＳ１１９）。
【００７２】
ステップＳ１１９において、第３乾燥炉８３の炉内温度が所定の閾温度以下であると判定された場合（ＹＥＳの場合）、制御部８０の錠制御部８０ｂは、利用者が第３乾燥炉８３を手前に引き出すことができるように、第３乾燥炉８３の錠９７を解錠する（ステップＳ１２３）。
【００７３】
次に、制御部８０は、第２乾燥炉８２及び第３乾燥炉８３が解錠されたか否かを判定する（ステップＳ１２５）。
【００７４】
ステップＳ１２５において、第２乾燥炉８２及び第３乾燥炉８３が解錠されたと判定された場合（ＹＥＳの場合）、制御部８０は、温度センサ９１により測定された第１乾燥炉８１の炉内温度が所定の閾温度以下であるか否かを判定する（ステップＳ１２７）。
【００７５】
ステップＳ１２７において、第１乾燥炉８１の炉内温度が所定の閾温度以下であると判定された場合（ＹＥＳの場合）、制御部８０の錠制御部８０ｂは、利用者が第１乾燥炉８１を手前に引き出すことができるように、第１乾燥炉８１の錠９５を解錠する（ステップＳ１３１）。
【００７６】
以上のように、本発明の実施例１であるインクジェット印刷装置１によれば、紙詰まりが発生した場合、第１〜第３乾燥炉８１〜８３を冷却するので、比較的速やかに搬送路を冷却することができる。また、炉内温度の異なる第１〜第３乾燥炉８１〜８３の錠９５〜９７を、段階的に解錠するので、利用者は、第１〜第３乾燥炉８１〜８３のうち解錠された乾燥炉から順に、滞留している印刷用紙Ｗを除去することができる。これにより、利用者は、従来技術と比べて、インクジェット印刷装置１内に滞留している印刷用紙Ｗの全てを比較的短時間で除去することができる。
【００７７】
なお、本発明の実施例１であるインクジェット印刷装置１では、第１〜第３乾燥炉８１〜８３を備える構成としたが、これに限らず、第１乾燥炉８１と、第２乾燥炉８２及び第３乾燥炉８３のうちいずれか１方とを備える構成としてもよい。
【００７８】
また、本発明の実施例１であるインクジェット印刷装置１では、第１乾燥炉８１内にヒータ８５を備え、ヒータ８５が発熱することにより第１乾燥炉８１内が加温され、加温された第１乾燥炉８１の熱が伝熱されることにより第２乾燥炉８２及び第３乾燥炉８３の炉内が加温される構成としたが、これに限らない。例えば、第２乾燥炉８２及び第３乾燥炉８３の炉内にそれぞれヒータを設け、第１乾燥炉８１の炉内温度より低い温度で、それぞれの炉内を加温するようにしてもよい。また、加温手段としては、ヒータに限らず、循環ファンが温風を炉内に流入させることにより炉内を加温するようにしてもよい。
【００７９】
また、本発明の実施例１であるインクジェット印刷装置１では、冷却手段として冷却ファン８７を備える構成としたが、これに限らず、例えば熱交換機のような炉内を冷却する装置であればよい。
【実施例２】
【００８０】
本発明の実施例１では、第１乾燥炉８１内を冷却する冷却ファンを備えるインクジェット印刷装置１を例に挙げて説明した。
【００８１】
本発明の実施例２では、第１〜第３乾燥炉８１〜８３それぞれに対応して設けられ、第１〜第３乾燥炉８１〜８３それぞれを冷却する冷却ファンを備えるインクジェット印刷装置１を例に挙げて説明する。
【００８２】
本発明の実施例２であるインクジェット印刷装置１の構成は、図１に示した本発明の実施例１であるインクジェット印刷装置１の構成に、更に、第２乾燥炉８２を冷却する第２冷却ファン８８と、第３乾燥炉８３を冷却する第３冷却ファン８９とを備える。
【００８３】
図７は、本発明の実施例２であるインクジェット印刷装置１の処理フローを示したフローチャートである。図７のフローチャートに示したそれぞれの処理のうち、図５のフローチャートに示した同一ステップ名の処理については、それぞれ同一の処理内容であるので説明を省略する。具体的には、ステップＳ２０７，Ｓ２０９，Ｓ２１５〜Ｓ２１８，Ｓ２２１〜Ｓ２２４，Ｓ２２９〜Ｓ２３３の処理について、以下に説明する。
【００８４】
図７に示すように、ステップＳ１０５において、前面扉錠９８が解錠されると、第１〜第３冷却ファン８７，８８，８９の全てを起動する（ステップＳ２０９）。
【００８５】
また、ステップＳ１１３において、第２乾燥炉８２の炉内温度が所定の閾温度以下であると判定された場合（ＹＥＳの場合）、制御部８０の冷却制御部８０ａは、第２冷却ファン８８を停止する（ステップＳ２１５）。
【００８６】
そして、制御部８０の錠制御部８０ｂは、利用者が第２乾燥炉８２を手前に引き出すことができるように、第２乾燥炉８２の錠９６を解錠する（ステップＳ２１７）。
【００８７】
次に、制御部８０の表示制御部８０ｃは、表示部７３に、滞留印刷用紙除去メッセージを表示させる（ステップＳ２１８）。例えば、表示制御部８０ｃは、「第２乾燥炉を手前に引き出し、内部の印刷用紙を取り除いてください。」というようなメッセージを表示させる。
【００８８】
また、ステップＳ１１９において、第３乾燥炉８３の炉内温度が所定の閾温度以下であると判定された場合（ＹＥＳの場合）、制御部８０の冷却制御部８０ａは、第３冷却ファン８９を停止する（ステップＳ２２１）。
【００８９】
そして、制御部８０の錠制御部８０ｂは、利用者が第３乾燥炉８３を手前に引き出すことができるように、第３乾燥炉８３の錠９７を解錠する（ステップＳ２２３）。
【００９０】
次に、制御部８０の表示制御部８０ｃは、表示部７３に、滞留印刷用紙除去メッセージを表示させる（ステップＳ２２４）。例えば、表示制御部８０ｃは、「第３乾燥炉を手前に引き出し、内部の印刷用紙を取り除いてください。」というようなメッセージを表示させる。
【００９１】
また、ステップＳ１２７において、第１乾燥炉８１の炉内温度が所定の閾温度以下であると判定された場合（ＹＥＳの場合）、制御部８０の冷却制御部８０ａは、第１冷却ファン８７を停止する（ステップＳ２２９）。
【００９２】
そして、制御部８０の錠制御部８０ｂは、利用者が第１乾燥炉８１を手前に引き出すことができるように、第１乾燥炉８１の錠９５を解錠する（ステップＳ２３１）。
【００９３】
次に、制御部８０の表示制御部８０ｃは、表示部７３に、滞留印刷用紙除去メッセージを表示させる（ステップＳ２３３）。例えば、表示制御部８０ｃは、「第１乾燥炉を手前に引き出し、内部の印刷用紙を取り除いてください。」というようなメッセージを表示させる。
【００９４】
以上のように、本発明の実施例２であるインクジェット印刷装置１によれば、第１〜第３乾燥炉８１〜８３それぞれを冷却する第１〜第３冷却ファン８７〜８９を備えているので、本発明の実施例１であるインクジェット印刷装置１による効果に加え、より早く第１〜第３乾燥炉８１，８３を冷却することができ、利用者は、滞留している印刷用紙Ｗをより短時間で除去することができる。
【００９５】
また、本発明の実施例２であるインクジェット印刷装置１によれば、第１〜第３乾燥炉８１〜８３の炉内温度に応じて、滞留印刷用紙除去メッセージを表示するので、利用者は、どの乾燥炉から順に引き出し、滞留した印刷用紙を取り除けばよいかを容易に把握することができる。
【００９６】
なお、本実施例１，２では、水性インクについて説明したが、水性インクに比べれば、効果は低いものの、油性インクにも本発明は適用可能である。
【００９７】
また、本発明の実施例１，２では、第１〜第３乾燥炉８１〜８３を備えたインクジェット印刷装置１について説明したが、これに限らず、乾燥炉として第１乾燥炉８１のみを備える構成としてもよい。
【００９８】
具体的には、印刷された印刷用紙Ｗが搬送される搬送路の少なくとも一部を囲うように配置された炉であって、炉内を加温する乾燥炉８１と、乾燥炉８１の炉内を冷却する冷却ファン８７と、乾燥炉８１の炉内温度を検出する温度センサ９１と、乾燥炉は、囲っている搬送路とともに搬送路上の印刷用紙Ｗが引き出せる方向に出し入れ可能な構成であり、出し入れ不可能にする施錠状態又は出し入れ可能にする解錠状態のいずれかに設定する錠部９５と、搬送路上における印刷用紙Ｗの紙詰まりを検出する紙詰まり検出センサ３４と、紙詰まり検出センサ３４により紙詰まりが検出された場合、冷却ファン８７に乾燥炉の炉内を冷却させる冷却制御部８０ａと、冷却ファン８７により冷却が開始された後、温度センサ９１により検出された炉内温度が所定の閾温度以下となった場合に、錠部９５を解錠させる錠制御部８０ｂとを備えるようにしてもよい。
【符号の説明】
【００９９】
１…インクジェット印刷装置
１０…サイド給紙部
２０…内部給紙部
３０…印刷部
３４…紙詰まり検出センサ
４０…排紙部
５０…反転部
５１…反転台
５４，５５…印刷用紙検出センサ
７１…ＲＡＭ
７２…ＲＯＭ
７３…表示部
８０…制御部
８０ａ…冷却制御部
８０ｂ…錠制御部
８０ｃ…表示制御部
８１…第１乾燥炉
８２…第２乾燥炉（第２の乾燥炉）
８３…第３乾燥炉（第２の乾燥炉）
８５…ヒータ
８６…循環ファン
８７…冷却ファン（第１冷却ファン）
８８…第２冷却ファン
８９…第３冷却ファン
９１〜９３…温度センサ
９５…錠（第１錠部）
９６，９７…錠（第２錠部）
９８…前面扉錠
【図１】
2011051118.tif 000003
【図２】
2011051118.tif 000004
【図３】
2011051118.tif 000005
【図４】
2011051118.tif 000006
【図５】
2011051118.tif 000007
【図６】
2011051118.tif 000008
【図７】
2011051118.tif 000009